(57)【要約】      （修正有）【課題】  前端部を薄くできないイクスプレスカード２５ｂを格納するＰＣ用スロット装置において、スロットの厚さを広げることなく、カード２５ｂをスロットへ円滑に挿入できるようにする。【解決手段】  下側シャーシー天井壁１００は、カード用格納空間の下面側を画定するとともに、スロット側端縁１２０を有している。スロット側端縁１２０は奥側傾斜線部分１２６及びスロット側傾斜線部分１２７を有している。奥側傾斜線部分１２６及びスロット側傾斜線部分１２７は基準断面１３１に対してそれぞれα１，α２（α１＜α２）で傾斜している。カード２５ｂは、それが格納空間のスロットへ挿入されるとき、右側上段下面部分５０の右隅部をカード用格納空間内へ進入させつつ、右側の段差部４４ｂの前端を傾斜線部分１２７，１２６に案内され、前進の勢いにより傾斜線部分１２６を乗り越えて、格納空間内へ乗り上がる。【選択図】      図１３
2006190587.tif 000002
【特許請求の範囲】
【請求項１】
カード型挿抜部材が、挿入方向前端面における厚さ方向一方の側に厚さ方向の段差部を有し、該段差部を境に前記前端面の幅方向一端部が幅方向中央部より薄くなっており、
前記カード型挿抜部材を格納空間へ挿抜自在に挿入されるスロット装置において、
前記格納空間への前記カード型挿抜部材の挿入状態では前記カード型挿抜部材の前記厚さ方向一方の側と対峙するように、前記格納空間をその厚さ方向一方の側において画定する板状画定部材、
前記格納空間への前記カード型挿抜部材の挿入の際には、前記段差部に対して前記格納空間の深さ方向へ斜めに当接するように、前記板状画定部材のスロット側端縁の部分を構成しつつ前記格納空間の深さ方向に対して斜めに延在している斜め当接用線部分、及び
前記カード型挿抜部材の幅方向他端部側に当接して該幅方向他端部側への前記カード型挿抜部材の移動を規制する幅方向移動規制部材、
を有していることを特徴とするスロット装置。
【請求項２】
前記斜め当接用線部分は、それぞれ前記格納空間の深さ方向へスロット側及び奥側に配置されて連続する第１及び第２の線部分を含み、
前記第２の線部分は前記第１の線部分より前記格納空間の深さ方向に沿った線形状となっていることを特徴とする請求項１記載のスロット装置。
【請求項３】
前記第１及び前記第２の線部分は直線であることを特徴とする請求項２記載のスロット装置。
【請求項４】
前記カード型挿抜部材が、挿入方向前端面における厚さ方向一方の側に厚さ方向の前記段差部としての第１の段差部を幅方向の一方の側に有するとともに、幅方向他方の側に第２の段差部を有し、
前記カード型挿抜部材を格納空間へ挿抜自在に挿入されるスロット装置において、
前記格納空間への前記カード型挿抜部材の挿入の際には、前記第２の段差部に対して前記格納空間の深さ方向へ斜めに当接するように、また、前記格納空間の幅方向へ前記第２の線部分と対峙するように、前記板状画定部材のスロット側端縁の部分として形成された第３の線部分、
を有し、
前記第３の線部分は前記幅方向移動規制部材を兼ね、
前記第２及び前記第３の線部分は、前記格納空間の深さ方向奥側の位置ほど、前記格納空間の幅方向の相互距離を漸減するように、形成され、
前記第２の線部分のスロット側の端位置では、前記格納空間の幅方向への前記第２及び前記第３の線部分の相互距離は幅方向への前記第１及び第２の段差部間の相互距離よりも大とされていることを特徴とする請求項２記載のスロット装置。
【請求項５】
前記カード型挿抜部材の前端部は、幅方向を左右方向として左右対称の形状になっており、
前記第２及び前記第３の線部分は、前記格納空間の深さ方向の重複範囲では、前記格納空間の幅方向を左右方向として所定の基準面に対して左右対称に形成されていることを特徴とする請求項４記載のスロット装置。
【請求項６】
前記カード型挿抜部材はイクスプレスカードであり、前記イクスプレスカードの前記厚さ方向一方の面側とは前記イクスプレスカードの下面側であり、
前記スロット装置はイクスプレスカード用スロット装置であることを特徴とする請求項１記載のスロット装置。
【請求項７】
前記格納空間は３４ｍｍ幅及び５４ｍｍ幅のイクスプレスカードの両方を格納自在の格納空間であることを特徴とする請求項６記載のスロット装置。
【請求項８】
カード型挿抜部材が、その厚さ方向及び幅方向に対して直角方向をスロット装置への挿入方向とされ、
前記カード型挿抜部材の厚さ方向一方の面側の前端部は、幅方向一端側の部分としての一端側前端部分が、幅方向中央側の部分としての中央側前端部分より厚さ方向へ沈降しており、
前記カード型挿抜部材が挿抜自在に挿入される前記スロット装置において、
前記スロット装置は、スロットより挿入されたカード型挿抜部材を格納する格納空間内の前記カード型挿抜部材の前記厚さ方向一方の面側に対応する面側から前記格納空間を画定する板状画定部材と、
前記カード型挿抜部材の幅方向他端部側に当接して該幅方向他端部側への前記カード型挿抜部材の移動を規制する幅方向移動規制部材と、
を有し、
前記板状画定部材のスロット側の端縁としてのスロット側端縁は、前記格納空間への前記カード型挿抜部材の挿入の際に、前記一端側前端部分を少なくとも部分的に格納空間側に受け入れられつつ前記一端側前端部分と前記中央側前端部分との厚さ方向連絡部としての段差部の前端に前記カード型挿抜部材の挿入方向に対して斜めに当接する斜め当接用線部分であって、前記段差部の前端を厚さ方向へ前記格納空間内の方へ滑らせて、前記中央側前端部分を前記板状画定部材の格納空間側へ乗り上げさせる前記斜め当接用線部分を有していることを特徴とするスロット装置。
【発明の詳細な説明】
【技術分野】
【０００１】
本発明は、例えばノート型パソコンに装備されるイクスプレスカード用スロット装置等のスロット装置に係り、詳しくはスロットへのカード型挿抜部材の挿入を円滑化できるスロット装置に関するものである。
【背景技術】
【０００２】
現在、典型的なノート型パソコンはＰＣカード用スロット装置を装備している。ＰＣカードは、ＰＣＭＣＩＡ（Personal Computer Memory Card International Association ）により規格を規定され、パーソナル・コンピュータ（以下、適宜、「パソコン」又は「ＰＣ」という。ただし、「ＰＣカード」とは、それ自体が普通名詞であり、「パーソナル・コンピュータ・カード」を意味しない。）の拡張デバイスとして使用されるものである。特許文献１は、ユーザがＰＣカードをカード・スロットに挿入する際、ＰＣカードをカード・スロットに平行に合わせることが煩雑である状況に鑑み、ＰＣカードをカード・スロットに能率的に挿入できる構造を開示する。該構造では、可動トレイが装備され、該可動トレイは、ユーザがイジェクト機構の押し棒を押圧操作することにより、ＰＣカード用スロット装置の外部へ引き出され、ユーザは、その引き出された可動トレイにＰＣカードを載置して、可動トレイごと、格納空間内へ押し込むようになっている。
【０００３】
特許文献２は、幅広肉厚と幅狭肉薄との二種のカードに対して、共用可能なスロット装置を開示する。該スロット装置では、カード誘導機構がカード入り口に配備され、カード・スロットに挿入されてきたカードを、種類別に格納空間内のそれぞれの場所へ誘導するようになっている。
【０００４】
特許文献３のスロット装置は、挿入されてきたカードの種別に応じて、接触片付き可動体を移動させ、接触片が、カードの種類に関係なく、該カードの電極と接触するようにして、必要部品点数の低減を図っている。
【特許文献１】特開２０００−１８２７１２公報
【特許文献２】特開２００４−２１３５０５公報
【特許文献３】特開２００４−６３１９７公報
【発明の開示】
【発明が解決しようとする課題】
【０００５】
ＰＣＭＣＩＡは、現在、新規な規格としてイクスプレスカード（ExpressCard）を提案している。イクスプレスカードには、幅が５４ｍｍのものと３４ｍｍのものとの二種類があり、一般的なイクスプレスカード用スロット装置は、幅５４ｍｍ及び３４ｍｍのイクスプレスカードに共用されるように製作されている。イクスプレスカード用スロット装置では、イクスプレスカードは、前端部を格納空間の奥のコネクタへ差し込むために、格納空間内を水平に維持しつつ、格納空間の奥へ移動させる必要がある。このため、格納空間の左右には、案内壁が配設され、各イクスプレスカード専用のスロット装置では、イクスプレスカードは、左右両端部を左右の案内壁の案内により上下の面を水平に維持しつつ、奥へ移動するようになっている。これに対して、幅５４ｍｍ及び３４ｍｍのイクスプレスカードに共用されるイクスプレスカード用スロット装置では、左右の案内壁の距離が幅広の方の５４ｍｍ幅のイクスプレスカードに合わせられているので、幅狭の方の３４ｍｍ幅のイクスプレスカードについては、それを左右の案内壁により水平姿勢に保持しつつ格納空間内の奥へ移動させるのは無理がある。したがって、二種のイクスプレスカードに共用のイクスプレスカード用スロット装置では、下壁が設けられ、幅３４ｍｍのイクスプレスカードは下面を該下壁に摺接しつつ奥へ移動するようにされている。なお、典型的な上下二段式のＰＣカード用スロット装置では、上下の段を仕切る壁は設けられていない。
【０００６】
ＰＣカードは、その挿入の際に、左右の案内壁内へ挿入し易くするために、前端部が本体部より薄くなっているのに対し、イクスプレスカードの前端部は、それに後続する本体部と厚さが等しく、すなわちスロットの厚さにほぼ等しくなっているので、イクスプレスカードをスロットに挿入する際に、スロットの上下の壁にぶつかって、挿入しづらいという問題がある。
【０００７】
このような問題に対処する一般的な解決策は、スロットの厚さ方向寸法を増大することであるが、その場合、スロット装置の厚さ方向寸法も増大することになり、スロット装置の小型化上で大変不利となる。
【０００８】
特許文献１のＰＣカード用スロット装置では、イジェクト機構のプッシュロッドに連動する可動トレイを設けており、構造が複雑化する。
【０００９】
特許文献２，３のスロット装置は、前端部がスロットへ挿入された後のカードの誘導及び共用接触片の移動に係る構造であり、スロットへのカードの挿入自体を能率化できる構造についてはなんら言及していない。
【００１０】
本発明の目的は、挿入方向前端部を後続部に対して薄くできないカード型挿抜部材に対し、スロットの厚さ方向寸法を増大することなく、スロットへのカード型挿抜部材の挿入を能率化できるようにしたスロット装置を提供することである。
【課題を解決するための手段】
【００１１】
本発明と後述の発明を実施するための最良の形態との対応関係を明確にするために、本発明のスロット装置、その各要素及び各部位について、それらと対応関係にある最良の形態、その各要素及び各部位に付した符号を括弧付きで付して、本発明を説明する。なお、本発明を符号付きで説明しても、本発明を最良の形態に限定する意図のないことは言うまでもない。本発明のスロット装置、その各要素、及び各部位の用語は、最良の形態のスロット装置、その各要素、及び各部位の用語に対して上位概念や別の特定概念等の用語を使用しているために、符号が同一であっても、本発明の用語と最良の形態の用語とが不一致の場合があることに注意されたい。
【００１２】
本発明のスロット装置（２０）は、カード型挿抜部材（２５，２５ｂ）が挿抜自在に挿入されるものである。該カード型挿抜部材（２５，２５ｂ）は、挿入方向前端面における厚さ方向一方の側に厚さ方向の段差部（４４，４４ｂ）を有し、該段差部（４４，４４ｂ）を前端面の幅方向一端部（５０）が幅方向中央部より薄くなっている。
【００１３】
本発明のスロット装置（２０）は、次の要素を有している。
格納空間（１０３）へのカード型挿抜部材（２５，２５ｂ）の挿入状態ではカード型挿抜部材（２５，２５ｂ）の厚さ方向一方の側と対峙するように、格納空間（１０３）をその厚さ方向一方の側において画定する板状画定部材（１００）、
格納空間（１０３）へのカード型挿抜部材（２５，２５ｂ）の挿入の際には、段差部（４４，４４ｂ）に対して格納空間の深さ方向へ斜めに当接するように、板状画定部材（１００）のスロット側端縁（１２０）の部分を構成しつつ格納空間（１０３）の深さ方向に対して斜めに延在している斜め当接用線部分（１２６，１２７）、及び
カード型挿抜部材（２５，２５ｂ）の幅方向他端部側に当接して該幅方向他端部側へのカード型挿抜部材（２５，２５ｂ）の移動を規制する幅方向移動規制部材（１２４）。
【００１４】
スロット装置（２０）は、典型的にはノート型パソコン（１０）に装備されるが、デスクトップパソコンに装備されてもよく、さらに、パソコンの外付け装置として提供されてもよい。ノート型パソコン（１０）に装備されるスロット装置（２０）は、典型的には、格納空間（１０３）の厚さ方向及び幅方向がそれぞれ上下方向及び水平方向とされる。スロット装置（２０）がデスクトップパソコンに装備される場合や、パソコンの外付け装置である場合には、格納空間（１０３）は、カード型挿抜部材（２５，２５ｂ）が横置きではなく、縦置きで挿入されるものであってもよい。カード型挿抜部材（２５，２５ｂ）が格納空間（１０３）へ縦置きで挿入されるスロット装置（２０）では、格納空間（１０３）の厚さ方向及び幅方向がそれぞれ水平方向及び上下方向となる。
【００１５】
カード型挿抜部材（２５，２５ｂ）は、スロットへ挿入する際、幅方向一端部（５０）において部分的に格納空間（１０３）側に受け入れられつつ、段差部（４４，４４ｂ）の前端において板状画定部材（１００）のスロット側端縁（１２０）の当接用線部分（１２６，１２７）に挿入方向へ斜めに当接し、その後、格納空間（１０３）へのカード型挿抜部材（２５，２５ｂ）の押し込み力により、段差部（４４，４４ｂ）の前端は、厚さ方向へ格納空間（１０３）の方へ当接用線部分（１２６，１２７）を滑って、格納空間（１０３）の奥へ移動する。この移動は、カード型挿抜部材（２５，２５ｂ）を幅方向他端部側へ押しやるが、カード型挿抜部材（２５，２５ｂ）はやがて幅方向移動規制部材（１２４）により幅方向他端部側への移動を阻止される。結果、カード型挿抜部材（２５，２５ｂ）の段差部（４４，４４ｂ）は、格納空間（１０３）の深さ方向へ勢いをつけて、当接用線部分（１２６，１２７）を板状画定部材（１００）の格納空間（１０３）側へ乗り上がり、これに伴い、カード型挿抜部材（２５，２５ｂ）の前端面全体も、板状画定部材（１００）の格納空間（１０３）側へ乗り上がる。
【００１６】
好ましいスロット装置（２０）では、斜め当接用線部分（１２６，１２７）は、格納空間（１０３）の深さ方向へ相互に隣接する第１及び第２の線部分（１２７，１２６）を含む。第１の線部分（１２７）は、第２の線部分（１２６）に対して格納空間（１０３）の深さ方向スロット側でかつ格納空間（１０３）の幅方向一端側に配設される。第２の線部分（１２６）は第１の線部分（１２７）より格納空間（１０３）の深さ方向に沿った角度で格納空間（１０３）の深さ方向へ進んでいる。第１及び第２の線部分（１２７，１２６）は、典型的には直線であるが、曲線であってもよいとする。また、第１及び第２の線部分（１２７，１２６）の境界部分は、アール（Ｒ）となっていてもよいとする。
【００１７】
典型的なカード型挿抜部材（２５，２５ｂ）は、挿入方向前端面における厚さ方向一方の側に厚さ方向の上述の段差部としての第１の段差部（４４）を幅方向の一方の側に有するとともに、幅方向他方の側に第２の段差部（４４）を有している。このような第１及び第２の段差部付きカード型挿抜部材（２５，２５ｂ）に対し、スロット装置（２０）は、第３の線部分（１２４）を有している。第３の線部分（１２４）は、格納空間（１０３）へのカード型挿抜部材（２５，２５ｂ）の挿入の際には、第２の段差部（４４）に対して深さ方向へ斜めに当接するように、また、格納空間（１０３）の幅方向へ第２の線部分（１２６）と対峙するように、板状画定部材（１００）のスロット側端縁（１２０）の部分として形成されている。第３の線部分（１２４）は幅方向移動規制部材を兼ねている。第２及び第３の線部分（１２６，１２４）は、格納空間（１０３）の深さ方向奥側の位置ほど、格納空間（１０３）の幅方向の相互距離を漸減するように、形成されている。さらに、第２の線部分（１２６）のスロット側の端位置では、格納空間（１０３）の幅方向への第２及び第３の線部分（１２６，１２４）の相互距離（ｄ３とする。）は幅方向への第１及び第２の段差部間の相互距離（ｄ２とする。）よりも大とされている。
【００１８】
このような寸法規定（ｄ２＜ｄ３、並びに第２及び第３の線部分間の幅方向距離の漸減）により、カード型挿抜部材（２５，２５ｂ）の中央側前端部分（４３，４３ｂ）は、格納空間（１０３）の深さ方向奥側へ第２の線部分（１２６）のスロット側の端位置を越えて、幅方向へ第２及び第３の線部分（１２６，１２４）の間へ進入し、ついには、幅方向両側の段差部（４４，４４ｂ）の前端がそれぞれ第２及び第３の線部分（１２６，１２４）に挿入方向へ当接状態になって、カード型挿抜部材（２５，２５ｂ）は幅方向変位を規制されることになる。結果、カード型挿抜部材（２５，２５ｂ）の挿入力は、段差部（４４，４４ｂ）の前端が第２及び第３の線部分（１２６，１２４）を格納空間（１０３）の深さ方向へ乗り越えさせる力として適切に作用し、カード型挿抜部材（２５，２５ｂ）の中央側前端部分（４３，４３ｂ）が板状画定部材（１００）の格納空間（１０３）側へ効率的に乗り上がることができる。
【００１９】
典型的なカード型挿抜部材（２５，２５ｂ）では、カード型挿抜部材（２５，２５ｂ）の前端部は、幅方向を左右方向として左右対称の形状になっている。また、第２及び第３の線部分（１２６，１２４）は、格納空間（１０３）の深さ方向の重複範囲では、格納空間の幅方向を左右方向として所定の基準面（１３１）に対して左右対称に形成されている。
【００２０】
カード型挿抜部材（２５，２５ｂ）は例えばイクスプレスカード（２５，２５ｂ）である。イクスプレスカード（２５，２５ｂ）の厚さ方向一方の面（３９）側とはイクスプレスカード（２５，２５ｂ）の下面（３９）側である。典型的には、スロット装置（２０）はイクスプレスカード用スロット装置（２０）である。また、好ましいスロット装置（２０）では、格納空間（１０３）は３４ｍｍ幅及び５４ｍｍ幅のイクスプレスカード（２５，２５ｂ，６０）の両方を格納自在の格納空間（１０３）である。
【００２１】
なお、本発明の斜め当接用線部分は、３４ｍｍ幅及び５４ｍｍ幅のイクスプレスカード（２５，２５ｂ，６０）共用の格納空間（１０３）への５４ｍｍ幅のイクスプレスカード（６０）の挿入円滑化、さらには、３４ｍｍ幅イクスプレスカード（２５，２５ｂ）専用の格納空間（１０３）への３４ｍｍ幅のイクスプレスカード（２５，２５ｂ）の挿入円滑化にも寄与できる。その場合、斜め当接用線部分は、板状画定部材（１００）の幅方向端の方へ十分に寄せた位置に形成される。
【００２２】
本発明の別のスロット装置（２０）には、所定のカード型挿抜部材（２５，２５ｂ）が挿抜自在に挿入される。該カード型挿抜部材（２５，２５ｂ）は、その厚さ方向及び幅方向に対して直角方向をスロット装置（２０）への挿入方向とされている。カード型挿抜部材（２５，２５ｂ）の厚さ方向一方の面側の前端部は、幅方向一端側の部分としての一端側前端部分が、幅方向中央側の部分としての中央側前端部分より厚さ方向へ沈降している。別のスロット装置（２０）は、スロットより挿入されたカード型挿抜部材（２５，２５ｂ）を格納する格納空間（１０３）内のカード型挿抜部材（２５，２５ｂ）の厚さ方向一方の面側に対応する面側から格納空間（１０３）を画定する板状画定部材（１００）と、カード型挿抜部材（２５，２５ｂ）の幅方向他端部側に当接して該幅方向他端部側へのカード型挿抜部材（２５，２５ｂ）の移動を規制する幅方向移動規制部材（１２４）と、を有している。板状画定部材（１００）のスロット側の端縁としてのスロット側端縁（１２０）は斜め当接用線部分（１２６，１２７）を有している。該斜め当接用線部分（１２６，１２７）は、格納空間（１０３）へのカード型挿抜部材（２５，２５ｂ）の挿入の際に、一端側前端部分を少なくとも部分的に格納空間（１０３）側に受け入れられつつ一端側前端部分と中央側前端部分との厚さ方向連絡部としての段差部（４４）の前端にカード型挿抜部材（２５，２５ｂ）の挿入方向に対して斜めに当接するように、形成されている。斜め当接用線部分（１２６，１２７）は、段差部（４４）の前端を厚さ方向へ格納空間（１０３）内の方へ滑らせて、中央側前端部分を板状画定部材（１００）の格納空間（１０３）側へ乗り上げさせる。
【発明の効果】
【００２３】
本発明によれば、挿入方向前端部がその後続部分より薄くなっていないカード型挿抜部材に対し、スロット装置のスロットの厚さを増大することなく、また、スロット装置の構成を複雑化することなく、スロットへのカード型挿抜部材の挿入を円滑化することができる。
【発明を実施するための最良の形態】
【００２４】
図１はノート型パソコン１０の斜視図である。ノート型パソコン１０は、パソコン本体１１と、パソコン本体１１の奥側の辺部に下端部を回動自在に結合しパソコン本体１１の上面を開閉するカバー１２とを有している。キーボード１３及びクリック用キー１４はパソコン本体１１の上面側に配備され、クリック用キー１４はキーボード１３より手前に位置する。カラー液晶ディスプレイ１５はカバー１２の内面側に装着されている。ＰＣ（パーソナル・コンピュータ）用スロット装置２０は、パソコン本体１１の左側部からイクスプレスカードやＰＣカードを挿抜自在に、パソコン本体１１内に装備される。ＰＣ用スロット装置２０は、扉付きであり、該扉は、ＰＣ用スロット装置２０へイクスプレスカード等の非挿入時では閉じた位置にあって、内側のスロットを隠しており、イクスプレスカード等の前端部を該扉に押し当てると押圧力により内側へ揺動して、スロットを露出させ、スロットからのイクスプレスカード等の挿入を許容する。
【００２５】
ここで、説明の便宜上、後述の３４ｍｍ幅イクスプレスカード２５，２５ｂ（図２〜図７）及び５４ｍｍ幅イクスプレスカード６０（図８及び図９）について、上下方向（適宜、「高さ方向」ともいう）、左右方向、及び前後方向を定義する。これらイクスプレスカードの上下方向及び左右方向とは、イクスプレスカードが図１のＰＣ用スロット装置２０に挿入されたときの上下方向及び左右方向をいうものとする。また、イクスプレスカードの前後方向とはＰＣ用スロット装置２０へのイクスプレスカードの挿入方向とし、挿入方向の前後をイクスプレスカードの前後方向の前後に対応させる。イクスプレスカードの左右方向の左右はイクスプレスカードを前後方向後方から見たときの左右方向の左右に対応させる。さらに、ＰＣ用スロット装置２０の上下方向及び左右方向並びに上下左右は、イクスプレスカードがＰＣ用スロット装置２０内に挿入された状態にあるときのイクスプレスカードの上下方向及び左右方向並びに上下左右に一致させる。また、ＰＣ用スロット装置２０の深さ方向は、イクスプレスカードがＰＣ用スロット装置２０内に挿入された状態にあるときのイクスプレスカードの前後方向に一致させる。ＰＣ用スロット装置２０の深さ方向へ、出入り口側としてのスロット側と、スロットとは反対にあるコネクタの側としての奥側とを定義する。なお、ＰＣ用スロット装置２０及びイクスプレスカードを見る方向によっては、図面上の左右と、ＰＣ用スロット装置２０及びイクスプレスカードの本来の左右とが一致していないことがあることに注意されたい。
【００２６】
ノート型パソコン１０のＰＣ用スロット装置２０はイクスプレスカードの横挿入式（イクスプレスカードの幅方向を水平方向とするイクスプレスカード挿入形式）となっているが、外付けのＰＣ用スロット装置や、デスクトップパソコンに装備されるＰＣ用スロット装置では縦挿入形式（イクスプレスカードの幅方向を上下方向とするイクスプレスカード挿入形式）になっているものもある。縦挿入式のＰＣ用スロット装置２０におけるイクスプレスカードの上下方向及び水平方向はそれぞれイクスプレスカードの幅方向及び厚さ方向となる。
【００２７】
図２は３４ｍｍ幅イクスプレスカード２５の上面２６側を斜め上方から見た斜視図である。ＰＣＭＣＩＡの規格では、イクスプレスカードの前後方向寸法は７５ｍｍとなっている。３４ｍｍ幅イクスプレスカード２５は、その前後方向へ前端側から順番に樹脂製の前端側装着部材２９、金属製ケース３０及び樹脂製の後端側装着部材３１を有している。引掛け用突条３４は、後端側装着部材３１の上面側において、３４ｍｍ幅イクスプレスカード２５の後端の左右方向中央部位に上向きに突設される。なお、引掛け用突条３４は、３４ｍｍ幅イクスプレスカード２５をＰＣ用スロット装置２０へ挿入した場合も、イクスプレスカード用格納空間１０３（図１２）の外部に露出し、ユーザは、イジェクト装置１０５（図１１）を操作しなくても、引掛け用突条３４に爪等を引っ掛けて、３４ｍｍ幅イクスプレスカード２５をＰＣ用スロット装置２０から外へ引き出せるようにしている。上側溝３６は、上面２６において、左右の各側縁部に形成され、３４ｍｍ幅イクスプレスカード２５の前後方向へ延在している。挿入向きマーク２８は、典型的には、上面２６側において、金属製ケース３０に貼付されるシール上に記入され、挿入向きマーク２８が記入されている方の面がイクスプレスカードの上面であること、及び挿入向きマーク２８の向きがＰＣ用スロット装置２０へのイクスプレスカードの挿入向きであることをユーザに示す。
【００２８】
図３は３４ｍｍ幅イクスプレスカード２５の下面３９側を斜め下方から見た斜視図である。３４ｍｍ幅イクスプレスカード２５の下面３９は、上段下面４０、ケース下面４１及び前端突設部４２を含む。下面３９は上下ニ段に形成され、高い方の上段下面４０は、前端側装着部材２９及び金属製ケース３０をまたがる前後方向範囲に形成され、低い方のケース下面４１は金属製ケース３０の下面の大部分を占め、前端突設部４２は３４ｍｍ幅イクスプレスカード２５の前端の位置において前端側装着部材２９に一体に形成される。ケース下面４１及び前端突設部４２の突設部下面４３は３４ｍｍ幅イクスプレスカード２５の最下端位置にあり、上段下面４０はケース下面４１及び突設部下面４３より少し高い位置（ＰＣＭＣＩＡの規格では１．００ｍｍ高い位置）に形成されている。段差部４４は、前端突設部４２の左右方向両側に形成され、上段下面４０から垂直に切り立っている。左側上段下面部分４９及び右側上段下面部分５０は、上段下面４０の一部であり、前後方向へ前端突設部４２の前端からケース下面４１の前端までの範囲を占め、前端突設部４２に対してそれぞれ左側及び右側に位置している。下側溝４７は、ケース下面４１の左右の側縁に沿って延在し、上段下面４０と同一の高さに揃えられている。
【００２９】
図４は３４ｍｍ幅イクスプレスカード２５の左側面を見た図である。上面２６では、引掛け用突条３４及び上側溝３６以外の部位は同一の高さに揃えられている。下面３９では、ケース下面４１及び突設部下面４３は、同一の高さにあり、上段下面４０は、ケース下面４１及び突設部下面４３より少し高い位置にある。したがって、３４ｍｍ幅イクスプレスカード２５は、その前後方向へ、ケース下面４１及び突設部下面４３の位置では厚く、上段下面４０の位置では薄くなっている。
【００３０】
図５は前方から３４ｍｍ幅イクスプレスカード２５の前端面を見た図である。３４ｍｍ幅イクスプレスカード２５の前端面は左右対称の形状となっている。３４ｍｍ幅イクスプレスカード２５の前端面において、左側上段下面部分４９及び右側上段下面部分５０の部位は突設部下面４３の部位より少し高くなっている。雌側コネクタ部分５３は、３４ｍｍ幅イクスプレスカード２５の前端面に開口し、イクスプレスカード用雄側コネクタ部分１１４（図１２）を内側へ差し込み自在になっている。
【００３１】
この３４ｍｍ幅イクスプレスカード２５では、上段下面４０が前後方向へ前端突設部４２とケース下面４１との間に形成されているが、ＰＣＭＣＩＡにおけるイクスプレスカードの規格では、左側上段下面部分４９及び右側上段下面部分５０の部位を除く上段下面４０の他の部位は突設部下面４３と同一高さであってもよいことになっている。
【００３２】
図６は下面３９において前後方向へ前端突設部４２ｂとケース下面４１とが連なっている３４ｍｍ幅イクスプレスカード２５ｂについて下面３９の前端部を下方から見た図である。また、図７は図６のVII矢視図である。図７上の上下は３４ｍｍ幅イクスプレスカード２５の実際の上下と逆になっていることに注意されたい。３４ｍｍ幅イクスプレスカード２５ｂにおいて、３４ｍｍ幅イクスプレスカード２５と同一の部位及び要素は同一の符号を付している。突設部下面４３ｂはケース下面４１と同一高さにあり、突設部下面４３ｂの後端はケース下面４１の前端に連なっている。左側上段下面部分４９及び右側上段下面部分５０は、前後方向へ突設部下面４３ｂと同一範囲に存在する。ケース下面４１の左右両端部は、突設部下面４３ｂの左右両端より外側へはみ出てあり、斜面５５は、左側上段下面部分４９及び右側上段下面部分５０とケース下面４１との連絡部として存在し、左側上段下面部分４９及び右側上段下面部分５０からケース下面４１へ徐々に下降している。
【００３３】
図８は５４ｍｍ幅イクスプレスカード６０の上面６１側を斜め上方から見た斜視図である。５４ｍｍ幅イクスプレスカード６０において３４ｍｍ幅イクスプレスカード２５のものと同一の部位及び要素については同一の符号を付す。５４ｍｍ幅イクスプレスカード６０は、前後方向へ前から順番に前端側装着部材２９、金属製ケース６３及び樹脂製の後端側装着部材６４を有している。５４ｍｍ幅イクスプレスカード６０は、また、幅方向寸法の相違に基づき、幅本体部分６７と、幅本体部分６７から前方へ突出する幅狭部分６８とに区分される。ＰＣＭＣＩＡの規格では、幅本体部分６７からの幅狭部分６８の前方突出寸法は２２ｍｍとなっている。幅本体部分６７及び幅狭部分６８の左端は左右方向位置を揃えられているので、５４ｍｍ幅イクスプレスカード６０は、右前端部の縦２２×横２０ｍｍの長方形範囲が欠落した長方形となっている。左側の上側溝７０は、５４ｍｍ幅イクスプレスカード６０の前後方向の全範囲にわたり延在している。右側の上側溝７０は幅本体部分６７の前後方向範囲にわたり延在している。５４ｍｍ幅イクスプレスカード６０をその左方から見た側面図は３４ｍｍ幅イクスプレスカード２５のもの（図４）と同一となる。
【００３４】
図９は５４ｍｍ幅イクスプレスカード６０の下面７５側を斜め下方から見た斜視図である。下面７５において、前端側装着部材２９の各部位の形状及び構造は３４ｍｍ幅イクスプレスカード２５の前端側装着部材２９のもの（図３）と同一である。金属製ケース６３の下面は下段下面７７及び上段下面７９に区分され、連絡斜面７８は、所定の傾斜角度により下段下面７７と上段下面７９とを連絡している。上段下面７９は、金属製ケース６３の下面において、右前端の三角形状の角範囲を占め、上段下面４０と同一高さに揃えられている。下段下面７７は、上段下面７９の部位を除く金属製ケース６３の他の部位を占め、前端突設部４２の突設部下面４３と同一高さに揃えられている。左の下側溝８２は、幅本体部分６７及び幅狭部分６８の左の側縁に沿って延在し、右の下側溝８２は、幅本体部分６７の右の側縁に沿って延在している。上段下面４０及び下側溝８２と下段下面７７との段差部は、連絡斜面７８と同様に、斜面に形成されている。
【００３５】
図１０は５４ｍｍ幅イクスプレスカード６０を前方から見た図である。幅狭部分６８の前端面の形状及び構造は３４ｍｍ幅イクスプレスカード２５のもの（図５）と同一である。５４ｍｍ幅イクスプレスカード６０の上段下面７９は、５４ｍｍ幅イクスプレスカード６０が後述の誘導用突条１１８（図１２）を乗り越えてイクスプレスカード用格納空間１０３の奥へ進入することを許容するために、形成されている。
【００３６】
図１１はＰＣ用スロット装置２０の斜視図、図１２はＰＣ用スロット装置２０をスロット側から見た図である。該ＰＣ用スロット装置２０は、上下二段式であり、上下に積層した金属製の上側及び下側シャーシー９０，９１を備えている。樹脂製のコネクタ部材９３は、上側及び下側シャーシー９０，９１の奥側の開口に嵌着されている。上側シャーシー９０は、上側シャーシー天井壁９８と、上側シャーシー天井壁９８の左右側縁から垂下する左右の垂下壁とを有し、内側にイクスプレスカード用格納空間１０３を画定している。下側シャーシー９１は、下側シャーシー天井壁１００と、下側シャーシー天井壁１００の左右側縁から垂下する左右の垂下壁とを有し、内側にＰＣカード用格納空間１０４を画定している。イクスプレスカード用格納空間１０３及びＰＣカード用格納空間１０４はそれぞれイクスプレスカード及びＰＣカードを出入り口側としてのスロット側から挿入される。上側シャーシー９０の左右の垂下壁は、イクスプレスカード用格納空間１０３の左右の側部案内９４ａ，９４ｂを形成し、下側シャーシー９１の左右の垂下壁はＰＣカード用格納空間１０４の左右の側部案内９５ａ，９５ｂを形成する。
【００３７】
イジェクト装置１０５は、上下に並設される押し棒１０６，１０７と、上側及び下側シャーシー９０，９１の右側壁の外面側に固定され押し棒１０６，１０７を前後方向へ案内する案内ケース１０８と、押し棒１０６，１０７の前方変位を揺動レバー１１０へ伝達する伝達プレート１０９とを有している。図１１では、上側の、すなわち押し棒１０６用の伝達プレート１０９及び揺動レバー１１０しか図示されていないが、図示していない下側の伝達プレート及び揺動レバーが、下側の押し棒１０７用に、すなわちＰＣカードのイジェクト用に存在している。
【００３８】
イクスプレスカード用雄側コネクタ部分１１４は、イクスプレスカード用格納空間１０３へその奥側から臨むように、コネクタ部材９３のイクスプレスカード用格納空間１０３側の端面に形成され、イクスプレスカード用格納空間１０３内へ十分に挿入された３４ｍｍ幅イクスプレスカード２５に対し、３４ｍｍ幅イクスプレスカード２５の雌側コネクタ部分５３（図５）へ圧入されるようになっている。複数個のＰＣカード用雄ピン１１５は、ＰＣカード用格納空間１０４へその奥側から臨むように、コネクタ部材９３のＰＣカード用格納空間１０４側の端面に形成され、上下二段の配列とされ、ＰＣカード用格納空間１０４内へ深く挿入されたＰＣカード（図示せず）に対し、ＰＣカードの前端部の各雌端子に圧入されるようになっている。
【００３９】
イジェクト装置１０５の揺動レバー１１０（下側の揺動レバー１１０は図１１では隠れている。）は、イクスプレスカード及びＰＣカードがイクスプレスカード用雄側コネクタ部分１１４及びＰＣカード用雄ピン１１５へ接続される深さまでイクスプレスカード用格納空間１０３及びＰＣカード用格納空間１０４へ挿入されると、３４ｍｍ幅イクスプレスカード２５及びＰＣカードの前端面により揺動操作される。したがって、揺動レバー１１０を、イクスプレスカード及びＰＣカードの接続時と逆方向へ揺動させると、イクスプレスカード及びＰＣカードは、揺動レバー１１０の図示していない方の端部により後方へ連行され、イクスプレスカード用雄側コネクタ部分１１４及びＰＣカード用雄ピン１１５から離反する。伝達プレート１０９には所定の溝が形成され、揺動レバー１１０の露出側端部がカード離反位置（奥側位置）からカード接続位置（スロット側位置）へ変化する場合には、伝達プレート１０９は、揺動レバー１１０の変位を押し棒１０６，１０７へ伝達せず、また、揺動レバー１１０がカード接続位置にあって押し棒１０６，１０７が前方へ変位する場合には、伝達プレート１０９は、押し棒１０６，１０７の変位を揺動レバー１１０へ伝達して、揺動レバー１１０をカード接続位置からカード離反位置へ切り替えるようになっている。なお、イクスプレスカードは前述したように、後端に引掛け用突条３４を有しており、ユーザは、押し棒１０６を使用することなく、引掛け用突条３４を指で引っ掛けて、イクスプレスカード用格納空間１０３からイクスプレスカードを引き出すことができる。
【００４０】
誘導用突条１１８は、イクスプレスカード用格納空間１０３の方へ突出するように、下側シャーシー天井壁１００から切り起こされて形成され、右端から左端へ向かってイクスプレスカード用格納空間１０３のスロット側から奥側へ斜めに延びている。なお、誘導用突条１１８は、下側シャーシー天井壁１００からの金属製切り起こしに代えて、下側シャーシー天井壁１００の上面側に固着した樹脂部材により構成してもよい。誘導用突条１１８は、イクスプレスカードが正規位置より右側へ偏倚してイクスプレスカード用格納空間１０３内を挿入されて来たときに、前端突設部４２の前面の右端部に当接し、イクスプレスカードを左の方へ誘導し、イクスプレスカード用雄側コネクタ部分１１４が前端側装着部材２９の雌側コネクタ部分５３へ円滑に圧入されるようにする。角型スペーサ１１７は、イクスプレスカード用格納空間１０３内において誘導用突条１１８のさらに奥に配設され、５４ｍｍ幅イクスプレスカード６０（図９）の右前端部の切欠き輪郭に対応する輪郭を有している。５４ｍｍ幅イクスプレスカード６０の右前端部の切欠きは、５４ｍｍ幅イクスプレスカード６０の左右逆の挿入を回避するとともに、左右を正しく挿入されたときの５４ｍｍ幅イクスプレスカード６０と角型スペーサ１１７との干渉を回避する役目を果たす。
【００４１】
図１３は３４ｍｍ幅イクスプレスカード２５ｂをイクスプレスカード用格納空間１０３へ挿入開始したときの下側シャーシー天井壁１００及び３４ｍｍ幅イクスプレスカード２５ｂの相対位置関係を、下側シャーシー天井壁１００の下面側から見て示した図である。図１３では、図面上の左右が３４ｍｍ幅イクスプレスカード２５ｂの実際の左右と逆になっている。下側シャーシー天井壁１００は特定形状のスロット側端縁１２０を有している。スロット側端縁１２０は、左端から右端の方へ順番に、横線部分１２１、縦線部分１２２、横線部分１２３、傾斜線部分１２４、横線部分１２５、奥側傾斜線部分１２６、スロット側傾斜線部分１２７及び横線部分１２８を有している。横線部分１２１，１２３，１２５，１２８は左右方向へ直線で延びている。横線部分１２１，１２８は、深さ方向位置が等しくなっており、上面側において側部案内９４ａ，９４ｂを画定している。縦線部分１２２は、深さ方向へ直線で延びている。横線部分１２３は、深さ方向へ、奥側傾斜線部分１２６とスロット側傾斜線部分１２７との境界点と同一位置にある。
【００４２】
説明の便宜上、基準断面１３０，１３１を定義する。基準断面１３０，１３１は、ＰＣ用スロット装置２０の幅方向に対して直角な断面である。基準断面１３０は、イクスプレスカード用格納空間１０３の左端から左右方向へ距離ｄ、離れて、深さ方向へ平行に延在している。基準断面１３１は、横線部分１２５の左右幅の中心を通り、基準断面１３０に対して平行になっている。α１は時計方向を正として基準断面１３１に対する奥側傾斜線部分１２６の交角であり、α２は時計方向を正として基準断面１３１に対するスロット側傾斜線部分１２７の交角である。α１，α２は共に正の値である。好ましくは、基準断面１３１に対する傾斜線部分１２４の交角は−α１となる。また、α２＞α１である。基準断面１３１は、イクスプレスカード用格納空間１０３の左端から左右方向へ距離ｄ以上、離れていればよい。横線部分１２５の長さをｄ１、前端突設部４２ｂの左右方向長さをｄ２、及び傾斜線部分１２４の前端と奥側傾斜線部分１２６の前端との左右方向距離をｄ３とすると、ｄ１＜ｄ２＜ｄ３である。
【００４３】
ユーザは、３４ｍｍ幅イクスプレスカード２５ｂをイクスプレスカード用格納空間１０３へ挿入するとき、３４ｍｍ幅イクスプレスカード２５ｂの上下方向位置をＰＣ用スロット装置２０のイクスプレスカード用格納空間１０３のスロットの上下方向位置に揃えて、イクスプレスカード用格納空間１０３のスロットへ押し込む。しかしながら、３４ｍｍ幅イクスプレスカード２５ｂの前端面の厚さはイクスプレスカード用格納空間１０３の厚さとほぼ同一であるために、３４ｍｍ幅イクスプレスカード２５ｂの前端面の上端又は下端が上側シャーシー天井壁９８又は下側シャーシー天井壁１００にぶつかる。３４ｍｍ幅イクスプレスカード２５ｂの上端が上側シャーシー天井壁９８にぶつかったときは、ユーザは、３４ｍｍ幅イクスプレスカード２５ｂの前端部を下方へずらすが、通常、下方への適切なずらしは難しく、３４ｍｍ幅イクスプレスカード２５ｂの前端面の下げ過ぎとなってしまう。こうして、３４ｍｍ幅イクスプレスカード２５ｂの前端面がスロット側傾斜線部分１２７に当接する。右側上段下面部分５０は、前端突設部４２ｂの突設部下面４３より少し上にあるので、ユーザは３４ｍｍ幅イクスプレスカード２５ｂを挿入方向軸線に対して少しねじることにより、右側上段下面部分５０の右隅部は簡単にイクスプレスカード用格納空間１０３のスロット内側の位置となり、該右隅部は、スロット側傾斜線部分１２７を前方へ越えて、下側シャーシー天井壁１００の上側としてのイクスプレスカード用格納空間１０３内へ進入する。したがって、スロット側傾斜線部分１２７には、３４ｍｍ幅イクスプレスカード２５ｂの前端突設部４２ｂの右端、したがって、右側の段差部４４ｂの前端がスロット側傾斜線部分１２７へ前後方向へ斜めにぶつかった状態が生じる。
【００４４】
ユーザは、３４ｍｍ幅イクスプレスカード２５ｂに、イクスプレスカード用格納空間１０３の奥へ押し込む力を作用させると、右の段差部４４ｂの前端はスロット側傾斜線部分１２７の案内により奥側傾斜線部分１２６の方へ移動し、これに伴い、３４ｍｍ幅イクスプレスカード２５ｂもイクスプレスカード用格納空間１０３の奥の方へ移動する。その移動の際、３４ｍｍ幅イクスプレスカード２５ｂの前端は、イクスプレスカード用格納空間１０３の左右方向にほぼ揃えられた位置を保持する。また、α２の傾斜角のために、３４ｍｍ幅イクスプレスカード２５ｂは、イクスプレスカード用格納空間１０３の奥へ向かうに連れて左方へ変位する。右側の段差部４４ｂの前端はスロット側傾斜線部分１２７の後端を通過してから、奥側傾斜線部分１２６により奥へ案内される。
【００４５】
図１４は３４ｍｍ幅イクスプレスカード２５ｂが図１３の状態から所定量、奥へ進んだときの下側シャーシー天井壁１００及び３４ｍｍ幅イクスプレスカード２５ｂの相対位置関係を、下側シャーシー天井壁１００の下面側から見て示した図である。前端突設部４２ｂの前端面は傾斜線部分１２４及び奥側傾斜線部分１２６の間へ進入し、さらに、左右方向への傾斜線部分１２４−奥側傾斜線部分１２６間の距離が前端突設部４２ｂの左右方向長さに等しくなる前後方向位置まで、３４ｍｍ幅イクスプレスカード２５ｂの前端が到達すると、前端突設部４２ｂの左右の端はそれぞれ傾斜線部分１２４及び奥側傾斜線部分１２６に当接した図１４の状態になる。前端突設部４２ｂは前進を阻まれることになるが、段差部４４ｂの段差は僅かであり、左右の段差部４４ｂの前端は、前端突設部４２ｂのそれまでの前進の勢いに乗って、あるいは、ユーザからの前後方向の周りの適当なねじり押し込み力により、傾斜線部分１２４及び奥側傾斜線部分１２６を上方へ滑り、イクスプレスカード用格納空間１０３の方へ移動し、突設部下面４３ｂは下側シャーシー天井壁１００の上面側へ乗り上がることができる。
【００４６】
以降、突設部下面４３ｂ及びケース下面４１が下側シャーシー天井壁１００の上面を摺動して、３４ｍｍ幅イクスプレスカード２５ｂはイクスプレスカード用格納空間１０３内を奥へ進む。その際、前端突設部４２ｂの前端面の右端はイクスプレスカード用格納空間１０３内の誘導用突条１１８に当接して、左方へ誘導される。。
【００４７】
スロット側端縁１２０では、横線部分１２３に代えて、傾斜線部分１３５（図１３及び図１４）を設けることもできる。基準断面１３１は、基準断面１３０に対して右方へ偏倚した位置となっているが、基準断面１３０に一致させることも可能である。その場合、左側の斜面５５がスロット側端縁１２０と干渉しないように、縦線部分１２２及び横線部分１２３の寸法を設定する。
【図面の簡単な説明】
【００４８】
【図１】ノート型パソコンの斜視図である。
【図２】３４ｍｍ幅イクスプレスカードの上面側を斜め上方から見た斜視図である。
【図３】３４ｍｍ幅イクスプレスカードの下面側を斜め下方から見た斜視図である。
【図４】３４ｍｍ幅イクスプレスカードの左側面を見た図である。
【図５】前方から３４ｍｍ幅イクスプレスカードの前端面を見た図である。
【図６】下面において前後方向へ前端突設部とケース下面とが連なっている３４ｍｍ幅イクスプレスカードについて下面の前端部を下方から見た図である。
【図７】図６のVII矢視図である。
【００４９】
【図８】５４ｍｍ幅イクスプレスカードの上面側を斜め上方から見た斜視図である。
【図９】５４ｍｍ幅イクスプレスカードの下面側を斜め下方から見た斜視図である。
【図１０】５４ｍｍ幅イクスプレスカードを前方から見た図である。
【図１１】ＰＣ用スロット装置の斜視図である。
【図１２】ＰＣ用スロット装置をスロット側から見た図である。
【図１３】３４ｍｍ幅イクスプレスカードをイクスプレスカード用格納空間へ挿入開始したときの下側シャーシー天井壁及び３４ｍｍ幅イクスプレスカードの相対位置関係を、下側シャーシー天井壁の下面側から見て示した図である。
【図１４】３４ｍｍ幅イクスプレスカードが図１３の状態から所定量、奥へ進んだときの下側シャーシー天井壁及び３４ｍｍ幅イクスプレスカードの相対位置関係を、下側シャーシー天井壁の下面側から見て示した図である。
【符号の説明】
【００５０】
２０：ＰＣ用スロット装置（スロット装置）、２５，２５ｂ：３４ｍｍ幅イクスプレスカード（カード型挿抜部材）、３９：下面（カード型挿抜部材の厚さ方向一方の面）、４３：突設部下面（中央側前端部分）、４４，４４ｂ：段差部、４９：左側上段下面部分（他端側前端部分）、５０：右側上段下面部分（一端側前端部分）、１００：下側シャーシー天井壁（板状画定部材）、１０３：イクスプレスカード用格納空間（格納空間）、１２０：スロット側端縁、１２４：傾斜線部分（幅方向移動規制部材、第３の線部分）、１２６：奥側傾斜線部分（斜め当接用線部分、第２の線部分）、１２７：スロット側傾斜線部分（斜め当接用線部分、第１の線部分）、１３１：基準断面（基準面）。
【図１】
2006190587.tif 000003
【図２】
2006190587.tif 000004
【図３】
2006190587.tif 000005
【図４】
2006190587.tif 000006
【図５】
2006190587.tif 000007
【図６】
2006190587.tif 000008
【図７】
2006190587.tif 000009
【図８】
2006190587.tif 000010
【図９】
2006190587.tif 000011
【図１０】
2006190587.tif 000012
【図１１】
2006190587.tif 000013
【図１２】
2006190587.tif 000014
【図１３】
2006190587.tif 000015
【図１４】
2006190587.tif 000016